(57)【要約】【課題】  複数の画像形成装置がサーバを介することなく互いに再利用可能なジョブ・ファイルを共有して、機器仕様の違いを反映したジョブ・ファイルの実行及び再利用が可能な画像形成装置及び画像形成方法を提供する。【解決手段】  第１の画像形成装置は、ジョブ・ファイルを生成して保持する。第２の画像形成装置は、第２の画像形成装置が保持するジョブ・ファイルを転送させて受信して保持するとともに、第２の画像形成装置では処理できないジョブの属性設定を判別して処理可能な設定値に変更して、変更した値をユーザに承認させてジョブ処理する。あるいはユーザに処理可能な設定値から選択させて決定させてジョブ処理する。【選択図】  図３
2007060126.tif 000002
【特許請求の範囲】
【請求項１】
ネットワークを介して接続された第１の画像形成装置と第２の画像形成装置とが予め生成されたジョブ・ファイルを出力する画像形成装置システムにおいて、前記ジョブ・ファイルは、ジョブ処理時の設定値を示すジョブ属性を有し、前記第１の画像形成装置は、予め生成されたジョブ処理可能なジョブ・ファイルを保持するジョブ・ファイル保持手段と、前記保持するジョブ・ファイルを第２の画像形成装置に転送するジョブ・ファイル転送手段と、前記ジョブ・ファイル転送手段によって前記保持するジョブ・ファイルを前記第２の画像形成装置へ転送するための転送指示を受信するジョブ・ファイル転送指示受信手段とを有し、前記第２の画像形成装置は、前記第１の画像形成装置が保持するジョブ・ファイルを指定して前記第２の画像形成装置へと転送するための転送指示を送信する転送指示送信手段と、前記転送指示によって前記第１の画像形成装置から第２の画像形成装置に転送されるジョブ・ファイルを受信して保持するジョブ・ファイル受信手段と、前記受信して保持するジョブ・ファイルのジョブ属性を解釈して前記第２の画像形成装置で処理できない属性値を判定する判定手段と、前記判定手段によって判定した結果を表示してユーザに確認させる表示手段とを有することを特徴とする画像形成装置システム。
【請求項２】
前記第２の画像形成装置が有する表示手段は、前記判定手段によって前記第２の画像形成装置で処理できないと判定された属性値を表示してユーザに変更させる属性値変更手段をさらに有し、前記第２の画像形成装置は前記属性値変更手段によって変更された属性値を反映して前記受信して保持するジョブ・ファイルを処理するジョブ・ファイル処理手段とを有することを特徴とする請求項１記載の画像形成装置システム。
【請求項３】
前記第２の画像形成装置が有する表示手段は、前記判定手段によって前記第２の画像形成装置で処理できないと判定された属性値を表示してユーザに承認させる承認手段をさらに有し、前記第２の画像形成装置は前記承認手段によって承認された処理できない属性値を処理可能な値に丸めて前記受信して保持するジョブ・ファイルを処理するジョブ・ファイル処理手段とを有することを特徴とする請求項１記載の画像形成装置システム。
【請求項４】
ネットワークを介して接続された第１の画像形成装置と第２の画像形成装置とが予め生成されたジョブ・ファイルを出力する画像形成装置システムにおいて、前記ジョブ・ファイルは、ジョブ処理時の設定値を示すジョブ属性を有し、前記第１の画像形成装置は、予め生成されたジョブ処理可能なジョブ・ファイルを保持するジョブ・ファイル保持手段と、前記保持するジョブ・ファイルを第２の画像形成装置に転送するジョブ・ファイル転送手段と、前記ジョブ・ファイル転送手段によって前記保持するジョブ・ファイルを前記第２の画像形成装置へ転送するための転送指示を受信するジョブ・ファイル転送指示受信手段と、前記ジョブ・ファイルが有するジョブ属性を外部から取得させる手段と、を有し、前記第２の画像形成装置は、前記第１の画像形成装置が保持するジョブ・ファイルを指定して前記第２の画像形成装置へと転送するための転送指示を送信する転送指示送信手段と、前記転送指示によって前記第１の画像形成装置から第２の画像形成装置に転送されるジョブ・ファイルを受信して保持するジョブ・ファイル受信手段と、前記転送指示の送信に先立ち前記第１の画像形成装置が保持するジョブ・ファイルが有するジョブ属性を取得する属性取得手段と、前記転送指示の送信に先立ち前記取得手段によって取得するジョブ属性を解釈して前記第２の画像形成装置で処理できない属性値を判定する判定手段と、前記転送指示の送信に先立ち前記判定手段によって判定した結果を表示してユーザに確認させる表示手段とを有することを特徴とする画像形成装置システム。
【請求項５】
前記第２の画像形成装置が有する表示手段は
前記転送指示の送信に先立ち前記判定手段によって前記第２の画像形成装置で処理できないと判定された属性値を表示してユーザに変更させる属性値変更手段をさらに有し、
前記第２の画像形成装置は前記属性値変更手段によって変更された属性値を反映して前記受信して保持するジョブ・ファイルを処理するジョブ・ファイル処理手段と
を有することを特徴とする請求項４記載の画像形成装置システム。
【請求項６】
前記第２の画像形成装置が有する表示手段は
前記転送指示の送信に先立ち前記判定手段によって前記第２の画像形成装置で処理できないと判定された属性値を表示してユーザに承認させる承認手段をさらに有し、前記第２の画像形成装置は前記承認手段によって承認された処理できない属性値を処理可能な値に丸めて前記受信して保持するジョブ・ファイルを処理するジョブ・ファイル処理手段とを有することを特徴とする請求項４記載の画像形成装置システム。
【請求項７】
ネットワークを介して接続された第１の画像形成装置と第２の画像形成装置とが予め生成されたジョブ・ファイルを出力する画像形成方法において、前記第１の画像形成装置は、前記予め生成されたジョブ処理可能なジョブ・ファイルを保持して、前記保持するジョブ・ファイルを第２の画像形成装置に転送し前記ジョブ・ファイル転送手段によって前記保持するジョブ・ファイルを前記第２の画像形成装置へ転送するための転送指示を受信し、前記第２の画像形成装置は、前記第１の画像形成装置が保持するジョブ・ファイルを指定して前記第２の画像形成装置へと転送するための転送指示を送信し、前記転送指示によって前記第１の画像形成装置から第２の画像形成装置に転送されるジョブ・ファイルを受信して保持し前記受信して保持するジョブ・ファイルのジョブ属性を解釈して前記第２の画像形成装置で処理できない属性値を判定し、前記判定手段によって判定した結果を表示してユーザに確認させることと特徴とする画像形成方法。
【請求項８】
ネットワークを介して接続された第１の画像形成装置と第２の画像形成装置とが予め生成されたジョブ・ファイルを保持して出力する画像形成方法において、前記第１の画像形成装置は、予め生成されたジョブ処理可能なジョブ・ファイルを保持して、前記保持するジョブ・ファイルを第２の画像形成装置に転送し、前記ジョブ・ファイル転送手段によって前記保持するジョブ・ファイルを前記第２の画像形成装置へ転送するための転送指示を受信し、前記ジョブ・ファイルが有するジョブ属性を外部から取得させて、前記第２の画像形成装置は、前記第１の画像形成装置が保持するジョブ・ファイルを指定して前記第２の画像形成装置へと転送するための転送指示を送信して、前記転送指示によって前記第１の画像形成装置から第２の画像形成装置に転送されるジョブ・ファイルを受信して保持し、前記転送指示の送信に先立ち前記第１の画像形成装置が保持するジョブ・ファイルが有するジョブ属性を取得し、前記転送指示の送信に先立ち前記取得手段によって取得するジョブ属性を解釈して前記第２の画像形成装置で処理できない属性値を判定して、前記転送指示の送信に先立ち前記判定手段によって判定した結果を表示してユーザに確認させることを特徴とする画像形成方法。
【発明の詳細な説明】
【技術分野】
【０００１】
本発明は、画像形成装置が予め生成して保持する文書について、前記文書を再処理可能なジョブ・ファイルとしてジョブ処理を実行する画像形成装置及び画像形成方法に関するものである。
【背景技術】
【０００２】
従来、画像形成装置が処理する文書をジョブ・ファイルとして保持及び実行及び再利用するための技術としては、単に該画像形成装置内の記憶装置に実行可能なジョブ・ファイルを保持して実行すると共に実行後も保持して再利用可能とするものがあった。また、ネットワークによってサーバと複数の画像形成装置が接続され、サーバがジョブ・ファイルの一括して保持して管理を行い、必要に応じてサーバから画像形成装置がジョブ・ファイルを取得して実行するものであった（例えば、特許文献１参照）。
【特許文献１】特開２００２−３４２３２８（図１）
【発明の開示】
【発明が解決しようとする課題】
【０００３】
しかしながら、上述した従来の技術では、次のような課題があった。単一の画像形成装置内の記憶装置によってジョブ・ファイルを保持する場合には、ジョブ・ファイルの再利用はその画像形成装置内に限られて他の画像形成装置で実行することはできず、ジョブ・ファイルの再利用による利便性が少なかった。また、サーバがジョブ・ファイルを保持して管理を行う場合には、ネットワークで接続された複数の画像形成装置がジョブ・ファイルを再利用して実行できるものの、ジョブ・ファイルを保持して管理するサーバが必要であり、ユーザの負担となっていた。さらに、サーバの有無に関わらず複数の画像形成装置が互いにジョブ・ファイルを再利用して実行する場合には、ユーザの意図しない出力結果とならないように、それぞれの画像形成装置によって異なる機器仕様に応じたジョブ実行を行うことが望ましい。
【０００４】
本発明は以上のような課題を鑑みてなされたものであり、複数の画像形成装置がサーバを介することなく互いにジョブ・ファイルを共有して、機器仕様の違いを反映したジョブ・ファイルの実行及び再利用が可能な画像形成装置及び画像形成方法を提供することを目的とする。
【課題を解決するための手段】
【０００５】
本発明に係る第１の発明においては、
ネットワークを介して接続された第１の画像形成装置と第２の画像形成装置とが予め生成されたジョブ・ファイルを出力する画像形成装置システムにおいて、前記ジョブ・ファイルは、ジョブ処理時の設定値を示すジョブ属性を有し、前記第１の画像形成装置は、予め生成されたジョブ処理可能なジョブ・ファイルを保持するジョブ・ファイル保持手段と、前記保持するジョブ・ファイルを第２の画像形成装置に転送するジョブ・ファイル転送手段と、前記ジョブ・ファイル転送手段によって前記保持するジョブ・ファイルを前記第２の画像形成装置へ転送するための転送指示を受信するジョブ・ファイル転送指示受信手段とを有し、前記第２の画像形成装置は、前記第１の画像形成装置が保持するジョブ・ファイルを指定して前記第２の画像形成装置へと転送するための転送指示を送信する転送指示送信手段と、前記転送指示によって前記第１の画像形成装置から第２の画像形成装置に転送されるジョブ・ファイルを受信して保持するジョブ・ファイル受信手段と、前記受信して保持するジョブ・ファイルのジョブ属性を解釈して前記第２の画像形成装置で処理できない属性値を判定する判定手段と、前記判定手段によって判定した結果を表示してユーザに確認させる表示手段とを有することを特徴とする。
【０００６】
本発明に係る第２の発明においては、前記第２の画像形成装置が有する表示手段は、前記判定手段によって前記第２の画像形成装置で処理できないと判定された属性値を表示してユーザに変更させる属性値変更手段をさらに有し、前記第２の画像形成装置は前記属性値変更手段によって変更された属性値を反映して前記受信して保持するジョブ・ファイルを処理するジョブ・ファイル処理手段とを有することを特徴とする。
【０００７】
本発明に係る第３の発明においては、前記第２の画像形成装置が有する表示手段は、前記判定手段によって前記第２の画像形成装置で処理できないと判定された属性値を表示してユーザに承認させる承認手段をさらに有し、前記第２の画像形成装置は前記承認手段によって承認された処理できない属性値を処理可能な値に丸めて前記受信して保持するジョブ・ファイルを処理するジョブ・ファイル処理手段とを有することを特徴とする。
【０００８】
本発明に係る第４の発明においては、ネットワークを介して接続された第１の画像形成装置と第２の画像形成装置とが予め生成されたジョブ・ファイルを出力する画像形成装置システムにおいて、前記ジョブ・ファイルは、ジョブ処理時の設定値を示すジョブ属性を有し、前記第１の画像形成装置は、予め生成されたジョブ処理可能なジョブ・ファイルを保持するジョブ・ファイル保持手段と、前記保持するジョブ・ファイルを第２の画像形成装置に転送するジョブ・ファイル転送手段と、前記ジョブ・ファイル転送手段によって前記保持するジョブ・ファイルを前記第２の画像形成装置へ転送するための転送指示を受信するジョブ・ファイル転送指示受信手段と、前記ジョブ・ファイルが有するジョブ属性を外部から取得させる手段と、を有し、前記第２の画像形成装置は、
前記第１の画像形成装置が保持するジョブ・ファイルを指定して前記第２の画像形成装置へと転送するための転送指示を送信する転送指示送信手段と、前記転送指示によって前記第１の画像形成装置から第２の画像形成装置に転送されるジョブ・ファイルを受信して保持するジョブ・ファイル受信手段と、前記転送指示の送信に先立ち前記第１の画像形成装置が保持するジョブ・ファイルが有するジョブ属性を取得する属性取得手段と、前記転送指示の送信に先立ち前記取得手段によって取得するジョブ属性を解釈して前記第２の画像形成装置で処理できない属性値を判定する判定手段と、前記転送指示の送信に先立ち前記判定手段によって判定した結果を表示してユーザに確認させる表示手段とを有することを特徴とする。
【０００９】
本発明に係る第５の発明によれば、前記第２の画像形成装置が有する表示手段は、前記転送指示の送信に先立ち前記判定手段によって前記第２の画像形成装置で処理できないと判定された属性値を表示してユーザに変更させる属性値変更手段をさらに有し、前記第２の画像形成装置は前記属性値変更手段によって変更された属性値を反映して前記受信して保持するジョブ・ファイルを処理するジョブ・ファイル処理手段とを有することを特徴とする。
【００１０】
本発明に係る第６の発明においては、前記第２の画像形成装置が有する表示手段は、前記転送指示の送信に先立ち前記判定手段によって前記第２の画像形成装置で処理できないと判定された属性値を表示してユーザに承認させる承認手段をさらに有し、前記第２の画像形成装置は前記承認手段によって承認された処理できない属性値を処理可能な値に丸めて前記受信して保持するジョブ・ファイルを処理するジョブ・ファイル処理手段とを有することを特徴とする。
【００１１】
本発明に係る第７の発明においては、ネットワークを介して接続された第１の画像形成装置と第２の画像形成装置とが予め生成されたジョブ・ファイルを出力する画像形成方法において、前記第１の画像形成装置は、前記予め生成されたジョブ処理可能なジョブ・ファイルを保持して、前記保持するジョブ・ファイルを第２の画像形成装置に転送し、前記ジョブ・ファイル転送手段によって前記保持するジョブ・ファイルを前記第２の画像形成装置へ転送するための転送指示を受信し、前記第２の画像形成装置は、前記第１の画像形成装置が保持するジョブ・ファイルを指定して前記第２の画像形成装置へと転送するための転送指示を送信し、前記転送指示によって前記第１の画像形成装置から第２の画像形成装置に転送されるジョブ・ファイルを受信して保持し、前記受信して保持するジョブ・ファイルのジョブ属性を解釈して前記第２の画像形成装置で処理できない属性値を判定し、前記判定手段によって判定した結果を表示してユーザに確認させることを特徴とする。
【００１２】
本発明に係る第８の発明においては、ネットワークを介して接続された第１の画像形成装置と第２の画像形成装置とが予め生成されたジョブ・ファイルを保持して出力する画像形成方法において、前記第１の画像形成装置は、予め生成されたジョブ処理可能なジョブ・ファイルを保持して、前記保持するジョブ・ファイルを第２の画像形成装置に転送し、前記ジョブ・ファイル転送手段によって前記保持するジョブ・ファイルを前記第２の画像形成装置へ転送するための転送指示を受信し、前記ジョブ・ファイルが有するジョブ属性を外部から取得させて、前記第２の画像形成装置は、前記第１の画像形成装置が保持するジョブ・ファイルを指定して前記第２の画像形成装置へと転送するための転送指示を送信して前記転送指示によって前記第１の画像形成装置から第２の画像形成装置に転送されるジョブ・ファイルを受信して保持し、前記転送指示の送信に先立ち前記第１の画像形成装置が保持するジョブ・ファイルが有するジョブ属性を取得し、前記転送指示の送信に先立ち前記取得手段によって取得するジョブ属性を解釈して前記第２の画像形成装置で処理できない属性値を判定し、前記転送指示の送信に先立ち前記判定手段によって判定した結果を表示してユーザに確認させることを特徴とする。
【発明の効果】
【００１３】
本発明に係る第１の発明によれば、ネットワークを介して接続された第１の画像形成装置と第２の画像形成装置とが予め生成されたジョブ・ファイルを出力する画像形成装置システムにおいて、前記ジョブ・ファイルは、ジョブ処理時の設定値を示すジョブ属性を有し、前記第１の画像形成装置は、予め生成されたジョブ処理可能なジョブ・ファイルを保持するジョブ・ファイル保持手段と、前記保持するジョブ・ファイルを第２の画像形成装置に転送するジョブ・ファイル転送手段と、前記ジョブ・ファイル転送手段によって前記保持するジョブ・ファイルを前記第２の画像形成装置へ転送するための転送指示を受信するジョブ・ファイル転送指示受信手段とを有し、前記第２の画像形成装置は、前記第１の画像形成装置が保持するジョブ・ファイルを指定して前記第２の画像形成装置へと転送するための転送指示を送信する転送指示送信手段と、前記転送指示によって前記第１の画像形成装置から第２の画像形成装置に転送されるジョブ・ファイルを受信して保持するジョブ・ファイル受信手段と、前記受信して保持するジョブ・ファイルのジョブ属性を解釈して前記第２の画像形成装置で処理できない属性値を判定する判定手段と、前記判定手段によって判定した結果を表示してユーザに確認させる表示手段とを有することが可能になる。
【００１４】
本発明に係る第２の発明によれば、前記第２の画像形成装置が有する表示手段は、前記判定手段によって前記第２の画像形成装置で処理できないと判定された属性値を表示してユーザに変更させる属性値変更手段をさらに有し、前記第２の画像形成装置は前記属性値変更手段によって変更された属性値を反映して前記受信して保持するジョブ・ファイルを処理するジョブ・ファイル処理手段とを有することが可能になる。
【００１５】
本発明に係る第３の発明によれば、前記第２の画像形成装置が有する表示手段は、前記判定手段によって前記第２の画像形成装置で処理できないと判定された属性値を表示してユーザに承認させる承認手段をさらに有し、前記第２の画像形成装置は前記承認手段によって承認された処理できない属性値を処理可能な値に丸めて前記受信して保持するジョブ・ファイルを処理するジョブ・ファイル処理手段とを有することが可能になる。
【００１６】
本発明に係る第４の発明によれば、ネットワークを介して接続された第１の画像形成装置と第２の画像形成装置とが予め生成されたジョブ・ファイルを出力する画像形成装置システムにおいて、前記ジョブ・ファイルは、ジョブ処理時の設定値を示すジョブ属性を有し、前記第１の画像形成装置は、予め生成されたジョブ処理可能なジョブ・ファイルを保持するジョブ・ファイル保持手段と、前記保持するジョブ・ファイルを第２の画像形成装置に転送するジョブ・ファイル転送手段と、前記ジョブ・ファイル転送手段によって前記保持するジョブ・ファイルを前記第２の画像形成装置へ転送するための転送指示を受信するジョブ・ファイル転送指示受信手段と、前記ジョブ・ファイルが有するジョブ属性を外部から取得させる手段と、を有し、前記第２の画像形成装置は、前記第１の画像形成装置が保持するジョブ・ファイルを指定して前記第２の画像形成装置へと転送するための転送指示を送信する転送指示送信手段と、前記転送指示によって前記第１の画像形成装置から第２の画像形成装置に転送されるジョブ・ファイルを受信して保持するジョブ・ファイル受信手段と、前記転送指示の送信に先立ち前記第１の画像形成装置が保持するジョブ・ファイルが有するジョブ属性を取得する属性取得手段と、前記転送指示の送信に先立ち前記取得手段によって取得するジョブ属性を解釈して前記第２の画像形成装置で処理できない属性値を判定する判定手段と、前記転送指示の送信に先立ち前記判定手段によって判定した結果を表示してユーザに確認させる表示手段とを有することが可能になる。
【００１７】
前記第２の画像形成装置が有する表示手段は、前記転送指示の送信に先立ち前記判定手段によって前記第２の画像形成装置で処理できないと判定された属性値を表示してユーザに変更させる属性値変更手段をさらに有し、前記第２の画像形成装置は前記属性値変更手段によって変更された属性値を反映して前記受信して保持するジョブ・ファイルを処理するジョブ・ファイル処理手段とを有することが可能になる。
【００１８】
前記第２の画像形成装置が有する表示手段は、前記転送指示の送信に先立ち前記判定手段によって前記第２の画像形成装置で処理できないと判定された属性値を表示してユーザに承認させる承認手段をさらに有し、前記第２の画像形成装置は前記承認手段によって承認された処理できない属性値を処理可能な値に丸めて前記受信して保持するジョブ・ファイルを処理するジョブ・ファイル処理手段とを有することが可能になる。
【００１９】
ネットワークを介して接続された第１の画像形成装置と第２の画像形成装置とが予め生成されたジョブ・ファイルを出力する画像形成方法において、前記第１の画像形成装置は、前記予め生成されたジョブ処理可能なジョブ・ファイルを保持して、前記保持するジョブ・ファイルを第２の画像形成装置に転送し前記ジョブ・ファイル転送手段によって前記保持するジョブ・ファイルを前記第２の画像形成装置へ転送するための転送指示を受信し、前記第２の画像形成装置は、前記第１の画像形成装置が保持するジョブ・ファイルを指定して前記第２の画像形成装置へと転送するための転送指示を送信し、前記転送指示によって前記第１の画像形成装置から第２の画像形成装置に転送されるジョブ・ファイルを受信して保持し前記受信して保持するジョブ・ファイルのジョブ属性を解釈して前記第２の画像形成装置で処理できない属性値を判定し、前記判定手段によって判定した結果を表示してユーザに確認させることが可能になる。
【００２０】
ネットワークを介して接続された第１の画像形成装置と第２の画像形成装置とが予め生成されたジョブ・ファイルを保持して出力する画像形成方法において、前記第１の画像形成装置は、予め生成されたジョブ処理可能なジョブ・ファイルを保持して、前記保持するジョブ・ファイルを第２の画像形成装置に転送し、前記ジョブ・ファイル転送手段によって前記保持するジョブ・ファイルを前記第２の画像形成装置へ転送するための転送指示を受信し、前記ジョブ・ファイルが有するジョブ属性を外部から取得させて、前記第２の画像形成装置は、前記第１の画像形成装置が保持するジョブ・ファイルを指定して前記第２の画像形成装置へと転送するための転送指示を送信して、前記転送指示によって前記第１の画像形成装置から第２の画像形成装置に転送されるジョブ・ファイルを受信して保持し、前記転送指示の送信に先立ち前記第１の画像形成装置が保持するジョブ・ファイルが有するジョブ属性を取得し、前記転送指示の送信に先立ち前記取得手段によって取得するジョブ属性を解釈して前記第２の画像形成装置で処理できない属性値を判定して、前記転送指示の送信に先立ち前記判定手段によって判定した結果を表示してユーザに確認させることが可能になる。
【発明を実施するための最良の形態】
【００２１】
（実施例１）
図１は、本発明の実施形態における画像形成装置システムの構成の一例を示す。図１において、ＰＣ１０３及び１０４は画像形成装置システムにおいてネットワーク１１０に接続されて動作する情報処理装置であり、情報処理装置はドライバソフトウェアを動作させて、プリントジョブなどをＭＦＰ１０１あるいは１０２に送信する。ＭＦＰ１０１及び１０２は画像形成装置システムにおいて、ＰＣ１０３あるいは１０４からのプリントジョブなどを受信して処理する画像形成装置を示す。ＭＦＰ１０１及び１０２は画像形成装置システムにおける一例であり、本発明においては、画像形成装置はネットワークに接続可能で外部からのジョブを受信して処理可能な画像形成装置であれば、１０３及び１０４のようなプリンタであってもよいし、プリントジョブ以外のスキャナジョブやコピージョブなどを処理可能なＭＦＰ（マルチ・ファンクション・ペリフェラル）であってもよい。
【００２２】
図２は、図１におけるＭＦＰ１０１及びＭＦＰ１０２のハードウェア構成の一例を示す。図２において、ＣＰＵ２０１とＲＡＭ２０２とＬＣＤ２０３とＫｅｙＢｏａｒｄ２０４とＲＯＭ２０５とプリンタエンジン２０６とＤＩＳＫ２０７とネットワークＩ／Ｆ２０８とスキャナエンジン２０９とがシステムバス２１０を介して相互に接続されている。画像形成装置を制御するプログラムは、ＲＯＭ２０５あるいはＤＩＳＫ２０７に記憶されており、必要に応じてＲＡＭ２０２に読み出されてＣＰＵ２０１によって実行される。また、ＲＯＭ２０５やＤＩＳＫ２０７には制御プログラム以外にも画像形成装置自体や画像形成装置で処理されるジョブの機能及び状態を示す属性情報や出力の対象となるジョブ・データや外部から受信して蓄積されたジョブ・データなどを記憶している。さらに、ＣＰＵ２０１がネットワークＩ／Ｆ２０８を介してネットワークで接続された外部との通信を行う。ネットワークＩ／Ｆ２０８はイーサネット（登録商標）インターフェースだけではなく、ＵＳＢやＩＥＥＥ１３９４あるいはブルートゥースなどの無線通信ネットワークＩ／Ｆであってもよい。さらに、ＣＰＵ２０１がＬＣＤ２０３及びＫｅｙＢｏａｒｄ２０４を介してユーザにメッセージを表示して、ユーザからの入力を受け付ける。
【００２３】
本実施例では、特に断らない限り、図２に示した画像形成装置において、ＣＰＵ２０１がシステムバス２１０を介してＫｅｙＢｏａｒｄ２０４からのユーザ入力を受け取り、且つ、ＲＡＭ２０２とＬＣＤ２０３とＲＯＭ２０５とプリンタエンジン２０６とＤＩＳＫ２０７とネットワークＩ／Ｆ２０８とスキャナエンジンとを制御し実施する。以上のような構成を持つ画像形成装置はネットワーク２１０を介したＰＣ１０３及び１０４からの指示、あるいはＫｅｙＢｏａｒｄ２０４からのユーザの操作によってコピージョブあるいはスキャンジョブあるいはプリントジョブを実行することが可能である。また、それぞれのジョブは再利用可能なジョブ・ファイルとしてＲＡＭ２０２あるいはＲＯＭ２０５あるいはＤＩＳＫ２０７に保持することが可能であり、保持したジョブ・ファイルは外部からの指示によって再度実行することができる。
【００２４】
図３は、本発明に係わる画像形成装置及び画像形成方法を適用して構成した画像形成装置システムを概念的に説明する構成図である。図３に示す画像形成装置システムにおいては、プリントジョブなどを生成してＭＦＰ３０３に送信するＰＣ３０１と、コピージョブなどをＭＦＰ３０３のユーザーインターフェイスを介して実行指示するユーザ３０２と、ＰＣ３０１あるいはＵｓｅｒ３０２から受け取ったジョブ実行指示によってジョブを実行し、実行したジョブを再利用可能なジョブ・ファイルとして保存するＭＦＰ３０３と、ＭＦＰ３０３にジョブ・ファイルを転送させて受け取ったジョブ・ファイルを実行するＭＦＰ３０４と、ＭＦＰ３０４のユーザーインターフェイスを介してＭＦＰ３０３が保存するジョブ・ファイルの実行をＭＦＰ３０４に指示するＵｓｅｒ３０５とによって構成される。
【００２５】
図３においてＭＦＰ３０３が実行するジョブは、ジョブの属性として、再利用可能なジョブ・ファイルとして保存する処理を行うことを設定可能である。MFP３０３は、該属性を設定されたジョブの実行時には生成したジョブをジョブ・ファイルとして保存する。この際、ジョブ・ファイルの保存はプリントなどの出力を伴って同時にジョブを保存する実施形態でもよいし、出力を伴わずにジョブ・ファイルの保存のみを行う実施形態であってもよい。また、スキャンジョブに伴うジョブ・ファイル生成においてはスキャン結果をプリント出力可能なジョブ・ファイルとして保存してもよい。
【００２６】
図３においてＭＦＰ３０３とＭＦＰ３０４は、ネットワークを介して相互にジョブ・ファイルの情報やジョブ・ファイル自体をやり取りする。本実施例ではＭＦＰ３０４は、ＭＦＰ３０３が保持するジョブ・ファイルの一覧を取得したり、特定のフィルタ条件を指定して条件に合致するジョブ・ファイルの一覧を取得したり、特定のジョブ・ファイルを指定してジョブ・ファイルの属性を取得したり、ジョブ・ファイル自体の転送を依頼してジョブ・ファイルの取得を行ったりする。また、ＭＦＰ３０３は、前述したようなＭＦＰ３０４から情報取得依頼やデータ取得依頼に対してジョブ・ファイルの一覧あるいはジョブ・ファイルなどをＭＦＰ３０４に送信する。また、ＭＦＰ３０４は、ネットワークを介して接続された画像形成装置であればＭＦＰ３０３に限らず同様の情報取得及びジョブ・ファイル取得を行うことが可能である。
【００２７】
ＭＦＰ３０４は、Ｕｓｅｒ３０５からの指示に従ってジョブ・ファイルの検索やジョブ・ファイルの実行を行う。ここでジョブ・ファイルの検索は、ＭＦＰ３０４が保持するジョブ・ファイルも含めネットワークを介して接続されてやり取り可能な一つ以上の画像形成装置が保持するジョブ・ファイルを対象に実行される。Ｕｓｅｒ３０５は、任意の画像形成装置に保存されたジョブ・ファイルをＭＦＰ３０４に実行させたい場合に、ＭＦＰ３０４に所望のジョブ・ファイルを検索させ、実行を指示するだけでどこに該ジョブ・ファイルが保存されているかを意識することなく、ＭＦＰ３０４にジョブ・ファイルを実行させて出力を得ることができる。
【００２８】
ここで図３に示した画像形成装置システムの動作を以下に示す。
【００２９】
１）ＰＣ３０１は、ＭＦＰ３０３に、ネットワークを介してジョブ・ファイルの保存を伴うジョブを送信して実行を指示する。あるいは、Ｕｓｅｒ３０２が、ユーザーインターフェイスを介してＭＦＰ３０３にジョブ・ファイルの保存を伴うジョブ実行を指示する。
【００３０】
２）ＭＦＰ３０３は、前述のPC３０１あるいはUser３０２から実行指示されたジョブ・ファイルの保存を伴うジョブを実行し、その結果、ジョブを再利用可能なジョブ・ファイルとして保持する。
【００３１】
３）Ｕｓｅｒ３０５は、予めＭＦＰ３０３で保存されたジョブ・ファイルを探すためにジョブ・ファイルの検索をＭＦＰ３０４に指示する。ここでＵｓｅｒ３０５は、ジョブ・ファイルの保存先がＭＦＰ３０３であることを知っていても知らなくても必要な検索条件を指定して検索させることで、所望のジョブ・ファイルを含むジョブ・ファイルのリストを得ることができる。また、ジョブ・ファイルを生成させたＵｓｅｒ３０２とＵｓｅｒ３０５は同一のユーザであってもよいし、異なるユーザであってもよい。
【００３２】
また、ジョブ・ファイルの生成指示を行ったユーザとジョブ・ファイルの実行を指示するユーザとが異なるユーザである場合には、ジョブ・ファイル実行時にユーザ認証及び権限チェックが実施されることが望ましい。
【００３３】
４）ＭＦＰ３０４は、Ｕｓｅｒ３０５からの指示に基づきジョブ・ファイルの検索及びジョブ・ファイルの属性取得及びジョブ・ファイルの取得を行う。
【００３４】
５）さらにＵｓｅｒ３０５からの指示に基づき前記取得したジョブ・ファイルを実行する。
【００３５】
ここで、ＭＦＰ３０３とＭＦＰ３０４とは異なる画像形成装置であるため、ＭＦＰ３０３で保存されたジョブ・ファイルの属性情報が、そのままＭＦＰ３０４で適用できない可能性がある。例えば、ジョブ・ファイルの属性情報にカラーの設定がされていたとしてもＭＦＰ３０４では、モノクロ出力しかできなかったり、ステイプルの設定がされていてもＭＦＰ３０４ではステイプルをサポートしていなかったりする可能性がある。これらの場合における処理の詳細については後述する。
【００３６】
図４は、図３におけるＵｓｅｒ３０５の指示に従ってＭＦＰ３０４が実行するジョブ・ファイル検索の設定を行う画面の一例であり、ＭＦＰ３０４のユーザーインターフェイスによって示される。
【００３７】
図４において、保存済み文書の検索４０１は、Ｕｓｅｒ３０５が保存済み文書を出力したい場合に、まず実行させるジョブ・ファイル検索のパラメータを指定する画面であり、ユーザが所望する実行するジョブ・ファイルを探してリストアップするためにユーザに指定させる。検索条件４０２は、ジョブ・ファイルの検索条件とするパラメータを指定させる欄である。図４は、検索条件はユーザ名が「ＩＣＨＩＲＯ」、文書名が「プレゼン資料」、作成日が「２００４／１２」と設定されている。ＯＫボタンが押下されると、ＭＦＰ３０４はネットワークを介して接続された画像形成装置に対して該当のジョブ・ファイルの検索指示をマルチキャストで送信する。該検索指示を受信したＭＦＰ３０３は、図３で示す処理を行い指定の検索条件に合致するジョブ・ファイルのリストをＭＦＰ３０４へと返信する。また、ネットワークを介して接続されたその他の画像形成装置でもMFP３０３と同様に処理がなされて、指定の検索条件に合致するジョブ・ファイルのリストをMFP３０４へと返信する。ＭＦＰ３０４は、どの画像形成装置で保持するジョブ・ファイルであるかに係わらず、所望の検索条件に合致するジョブ・ファイルのリストを得ることができる。
【００３８】
図６は、図４で示すジョブ・ファイルの検索の結果を表示して、ユーザにジョブ実行するジョブ・ファイルを選択させる画面の一例であり、ＭＦＰ３０４のユーザーインターフェイスによって表示される。
【００３９】
図６において、検索条件６０２は図４で示すジョブ・ファイル検索指示によって指定されたジョブ・ファイルの検索条件を表示する。また、検索結果のリスト６０３は、前述の検索の結果見つかった該当するジョブ・ファイルのリストを表示する。図６では表示は文書名と保存先デバイスとを行っているが、それ以外の情報を表示してもよい。６０３のリストからユーザに出力したいジョブ・ファイルを選択させて、ＯＫボタンを押下させる。ＭＦＰ３０４は、ＯＫボタンが押下されたら指定されたジョブ・ファイルを実行するための処理を行い、Ｃａｎｃｅｌが押下された場合には、ジョブ・ファイルを実行することなく処理を終了させる。ＯＫボタンが押下された場合には、ＭＦＰ３０４は、選択されているジョブ・ファイルを保存先の画像形成装置から取得するためにジョブ・ファイル転送指示を保存先のＭＦＰ３０３に送信する。
【００４０】
図７は、本実施例におけるＭＦＰ３０３あるいはＭＦＰ３０４が生成して保持する再利用可能なジョブ・ファイルの構成を示す構成図である。
【００４１】
図７で示すようにジョブ・ファイルは大きく分けてジョブ・ファイルの属性７０１とジョブ・データ７０２から構成される。ジョブ・ファイルの属性７０１はジョブに関する情報やジョブ実行時の設定を有しており、詳細は後述する。ジョブ・データは、ジョブ・ファイル実行時に出力されるデータを示し、例えば画像データやＰＤＬ（Ｐａｇｅ  Ｄｅｓｃｒｉｐｔｉｏｎ  Ｌａｎｇｕａｇｅ）データに該当するものである。
【００４２】
次にジョブ・ファイルの属性７０１の詳細について説明する。ファイルＩＤ７１１はジョブ・ファイルを識別するための識別子である。ファイル識別子は本実施例における画像形成装置システム内で識別可能な値であれば文字列でもファイルハンドルなどであっても良い。ＭＦＰ３０３及びＭＦＰ３０４はファイルＩＤ７１１によってジョブ・ファイルを識別する。
【００４３】
ファイル名７１２は、ジョブ・ファイルのファイル名を示す。ファイル名はどのようなものであってもよいがユーザがジョブ・ファイルを識別する主な情報となる。ジョブ・ファイル生成時に図３のＵｓｅｒ３０２が指定して設定される。Ｕｓｅｒ３０５は、ファイル名によって所望のジョブ・ファイルであるかどうかをある程度判断できる。
【００４４】
作成日７１３は、ジョブ・ファイルの作成日を示す。図３のＭＦＰ３０３が該ジョブ・ファイルを生成した日時を自動的に設定する。作成日は、ファイル名同様ユーザがジョブ・ファイルを識別する情報となりうるが、主にジョブ・ファイルの検索条件として利用される。
【００４５】
ユーザ名７１４は、ジョブ・ファイルを作成したユーザ名を示す。図３のＭＦＰ３０３が、該ジョブ・ファイルを生成した際のジョブ実行依頼者のユーザ名を設定する。ユーザ名は、ファイル名及び作成日同様ジョブ・ファイルを識別する情報となりうる。主にジョブ・ファイルの検索条件として利用される。
【００４６】
フィニッシング設定７１５は、ジョブ・ファイルに設定されたフィニッシングを示す。フィニッシング設定によりステイプル処理やパンチ穴あけ処理、ソート処理、折りなどの後処理が指定される。ジョブ・ファイル実行時には対応するフィニッシング処理がなされる。
【００４７】
色設定７１６は、ジョブ・ファイルに設定された色設定を示す。色設定によりフルカラーや単色カラー、モノクロ、モノクロ多値（グレースケール）などの色処理が指定される。ジョブ・ファイル実行時には対応する色処理がなされる。
解像度７１７は、ジョブ・ファイルに設定された解像度設定を示す。解像度設定によりジョブ・ファイル実行時の解像度がＤＰＩ（Ｄｏｔｓ  Ｐｅｒ  Ｉｎｃｈ）単位で指定される。ジョブ・ファイル実行時には設定された解像度によって処理がなされる。
【００４８】
図７に示すようなジョブ・ファイルは、ジョブ・ファイルの属性としてジョブ・ファイルを識別するための情報とジョブ・ファイル実行する際の設定情報とが保持される。ＭＦＰ３０３及びＭＦＰ３０４は、必要に応じてジョブ・ファイル検索時に読み出したり、ジョブ・ファイル実行時に対応する処理を行ったりすることで図３に示すような画像形成装置システムの動作を構成可能とする。ここで、ジョブ・ファイルの属性として保持可能な情報は、本実施例で示す限りではなくそのほかの該ジョブ・ファイルに関する情報やジョブ・ファイル実行時の設定情報が含まれていてもよい。
【００４９】
図８は、図３のＭＦＰ３０３及びＭＦＰ３０４が、ジョブを受信して実行する処理の流れを示す。
【００５０】
図８において、ステップ８０１は、属性設定の解析を行う。図３のＰＣ３０１あるいはＵｓｅｒ３０２によって実行指示されたジョブに関して、ジョブ実行時の設定情報である属性を解析する処理を示す。ジョブ実行指示において、属性は、図７の７１１〜７１７で示すような属性識別子と属性値の組で示される。属性の解析では、属性識別子によって属性を識別して該当する属性の値を読み出して、実行するジョブ生成のために一旦記憶して保持する。
【００５１】
ステップ８０２は、ステップ８０１で解析した属性に従い、実行ジョブを生成する処理を示す。実行ジョブは、図７の７１１〜７１７で示すものと同等の属性を持っているので、対応する属性を持つ実行ジョブを生成することができる。
【００５２】
ステップ８０３は、ステップ８０２で生成した実行ジョブを実行する処理を示す。ステップ８０３では、ステップ８０２で設定した属性に従ってジョブを処理してジョブの出力を得る。
【００５３】
本実施例において、ジョブの実行は、外部から受信したジョブであってもジョブ・ファイルから生成したジョブであっても属性によってジョブの設定情報が示されることは変わらず、図８で示す処理と同じように処理される。
【００５４】
図１１は、図３のＭＦＰ３０３からＭＦＰ３０４がジョブ・ファイルを受信して実行する場合に、ＭＦＰ３０３が保持するジョブ・ファイルをそのまま実行できないことをＵｓｅｒ３０５に通知する画面の一例である。また、そのまま実行できないジョブ・ファイルに対して、属性設定の変更方法をユーザに選択させることも行う。図１１において、１１０２で示すメッセージは、ジョブ・ファイルの生成を行った生成機器であるＭＦＰ３０３と、ジョブ・ファイルの実行を指示して実行させようとしているＭＦＰ３０４と、が異なる仕様の機器であるために一部のジョブ属性の設定を変更する必要があることを示している。また、１１０３で示すユーザ選択可能なチェックボックスは、変更する必要がある属性設定に関して、設定変更はＭＦＰ３０４の処理に任せるか、設定変更必要な属性について変更内容をユーザが指定して行うかどうかをユーザに選択させるためのものである。
【００５５】
ＭＦＰ３０４の処理に任せることを選択させた場合には、ＭＦＰ３０４がＭＦＰ３０３から転送されて受信したジョブ・ファイルの属性のうち、設定変更必要なものに関しては、ＭＦＰ３０４が保持するデフォルトの値に丸める処理を行い図１３に示すような設定変更確認を経て、ジョブ実行する。
【００５６】
変更内容をユーザが指定して行うことを選択させた場合には、ＭＦＰ３０４は、図１２で示すような設定確認画面によって、変更が必要な属性のそれぞれに関して変更後の属性値をユーザに選択させて決定させた後、ジョブ実行する。
図１２は、図１１で示す画面で変更内容をユーザが指定して行うことを選択させた場合に、表示して選択させるジョブの設定変更画面の一例を示す。
【００５７】
図１２において、黒塗りに白文字の選択肢は、ＭＦＰ３０４で処理できないため、設定変更が必要な属性値を示す。また、白塗りに黒文字の選択肢は、該属性についてＭＦＰ３０４で処理可能な値を示す。１２０２では、色設定が、カラーと設定されているがカラーはＭＦＰ３０４では処理できないため変更が必要なことを示しており、また、変更して設定することが可能な値は、モノクロとグレースケールであることを示している。１２０３では、解像度が、３００ＤＰＩと設定されているが３００ＤＰＩはＭＦＰ３０４では処理できないため変更が必要なことを示しており、また、変更して設定することが可能な値は、６００ＤＰＩと２００ＤＰＩであることを示している。１２０４では、フィニッシング設定が、ステイプルと設定されているがステイプルはＭＦＰ３０４では処理できないため変更が必要なことを示しており、また、変更して設定することが可能な値は、フィニッシング設定しない（フィニッシングなし）とソートであることを示している。
【００５８】
ＭＦＰ３０４は、ユーザに１２０２、１２０３、１２０４に関してそれぞれ設定可能な値を選択させてＯＫボタンを押下させる。ＯＫボタンが押下されると、実行ジョブの該属性に選択されたジョブの設定が反映されて、ジョブ処理が開始される。
【００５９】
図１３は、図１１で示す画面で設定変更はＭＦＰ３０４の処理に任せることを選択させた場合に表示して確認させるジョブの設定変更確認画面の一例を示す。
【００６０】
図１３において、１３０２で示す色設定、解像度、フィニッシング設定は、それぞれＭＦＰ３０４のデフォルトの値に丸めた結果を示している。図１１において、設定変更はＭＦＰ３０４の処理に任せることが選択されているので、１３０２で示す値は変更することはできず、ユーザに確認させて問題がなければＯＫボタンを押下させる。また、Ｃａｎｃｅｌボタンが押下された場合には、ＭＦＰ３０４は、該ジョブ・ファイルの実行を中止する。
【００６１】
図１２あるいは１３に示す画面によって、異なる画像形成装置からジョブ・ファイルを転送させて実行する際に設定変更が必要なジョブの属性設定に関して、ユーザに変更内容を選択させる、あるいは変更内容を承認させた上でジョブ実行することができる。
【００６２】
図５は、図３のＭＦＰ３０３が、ＭＦＰ３０４からのジョブ・ファイル転送指示を受信してジョブ・ファイルを転送する処理の流れを示す。ジョブ・ファイル転送指示は、図６で示す画面において実行するジョブ・ファイルが選択され、決定されたときに、ＭＦＰ３０４からＭＦＰ３０３へと送信される。
【００６３】
図５において、ステップ１４０１では、ネットワークを介してＭＦＰ３０４からのジョブ・ファイル転送指示を受信する。ステップ１４０２では、ステップ１４０２で受信したジョブ・ファイル転送指示を読み出して、どこに、どのジョブ・ファイルを転送するのかを解釈する。ステップ１４０３では、指定されたジョブ・ファイルを転送するための返信パケットを生成する。ここで、返信パケットは、どのようなプロトコルで送信されてもよいがステップ１４０１で受信したファイル転送指示で指定された転送先のＭＦＰ３０４に転送可能なプロトコルであるものとする。ステップ１４０１からステップ１４０３に示す処理によってＭＦＰ３０３は、ＭＦＰ３０４へ指定されたジョブ・ファイルを転送する。
【００６４】
図９は、図３のＭＦＰ３０４が、ＭＦＰ３０３へジョブ・ファイル転送指示を送信して、転送されたジョブ・ファイルを受信する処理の流れを示す。
【００６５】
図９において、ステップ１５０１は、ジョブ・ファイル転送指示の送信を示す。本実施例では、ジョブ・ファイル転送指示は、図６で示す画面において実行するジョブ・ファイルが選択され、決定されたときに、ＭＦＰ３０４からＭＦＰ３０３へと送信される。ここで、ジョブ・ファイル転送指示は、どのようなプロトコルで送信されてもよいが少なくとも転送するジョブ・ファイルの識別子と、転送先のＭＦＰ３０４のネットワークアドレスを有するものとする。
【００６６】
ステップ１５０２では、図５のステップ１４０３によって送信された返信パケットによって、ジョブ・ファイルを受信する。また、ステップ１５０３では、ステップ１５０２で受信したジョブ・ファイルを記憶して保持する。図９に示すような処理によって、ＭＦＰ３０４は所望のジョブ・ファイルをＭＦＰ３０３に転送させて受信して保持することができる。
【００６７】
図１０は、ＭＦＰ３０４が、ＭＦＰ３０３から受信したジョブ・ファイルの属性を読み出して処理可能かどうかを判定する処理の流れを示す。
【００６８】
図１０において、ステップ１７０１では、該受信して保持したジョブ・ファイルの属性を読み出して取得する。
【００６９】
ステップ１７０２では、ステップ１７０１で取得したジョブ・ファイルの属性一つ一つそれぞれに対して設定値がＭＦＰ３０４に処理可能な値であるか、すなわちサポート範囲内であるかどうかをチェックする。ステップ１７０３では、ステップ１７０２でのチェックの結果、設定値がサポート範囲であるかどうかの判定を行う。サポート範囲外であればステップ１７０４へと進み、サポート範囲外でなければ処理を終了する。
【００７０】
ステップ１７０４では、ステップ１７０３においてサポート範囲外と判定された属性の設定値についてＭＦＰ３０４が有するデフォルトの値に書き換えを行う。書き換えを行う場合には、図１３で示すような属性変更確認画面を表示して、ユーザの承認を得る。ステップ１７０４で行う処理は、図１２で示すような属性変更内容をユーザに選択させる処理であってもよく、図１１で示すような画面によって、どちらの処理を行うかをユーザに予め選択させておく。
【００７１】
ステップ１７０５では、図１３で示す属性変更確認画面でＯＫボタンが押下されたかどうかを判定する。ＯＫであれば、ステップ１７０６へと進み、Ｃａｎｃｅｌであれば処理を終了する。
【００７２】
ステップ１７０６では、ステップ１７０４で表示して確認したＭＦＰ３０４が有するデフォルトの値によって実行しようとしているジョブ・ファイルの属性を書き換えて、設定値に反映する。該ジョブ・ファイルを実行する際には、設定された変更後の属性が反映されて、処理される。
【００７３】
図１０で示すような処理によってジョブ・ファイルの属性の設定値がサポート範囲かどうかの判定と判定結果に従った設定変更の処理を行うことができる。ここで、判定処理及び設定変更処理は、ジョブ・ファイルの転送前に行ってもよいし、ジョブ・ファイルの転送後に行ってもよい。ジョブ・ファイルの転送前に行う場合には、ステップ１７０６で行うジョブ・ファイルの属性変更は、ＭＦＰ３０４内でキャッシュして保持され、ジョブ・ファイルの転送が行われて、保存するときに実際のジョブ・ファイルに反映されるものとする。また、ジョブ・ファイルの転送前に判定処理が行われる実施形態においては、図１１あるいは図１２に示すような画面においてユーザがＣａｎｃｅｌボタンを押下した場合は、該ジョブ・ファイルの処理及び転送自体を中止する実施形態も可能である。
【図面の簡単な説明】
【００７４】
【図１】本発明の１実施例におけるシステム構成を示す構成図である。
【図２】本発明の１実施例における画像形成装置のコントローラ・ハードウェア構成を示す構成図である。
【図３】本発明の１実施例におけるシステム構成と動作の概要をしめす構成図である。
【図４】本発明の１実施例における文書検索の指示を行うための画面の一例を示す図である。
【図５】本発明の１実施例における第１の画像形成装置がジョブ・ファイル転送指示を受信して処理する流れを示すフローチャートである。
【図６】本発明の１実施例における文書検索の結果に得られた文書リストの表示画面の一例を示す図である。
【図７】本発明の１実施例における画像形成装置が生成して処理するジョブ・ファイルの構成図である。
【図８】本発明の１実施例における画像形成装置がジョブを処理する流れを示すフローチャートである。
【図９】本発明の１実施例における第２の画像形成装置がジョブ・ファイル転送指示を送信して処理する流れを示すフローチャートである。
【図１０】本発明の１実施例における第２の画像形成装置がジョブ・ファイルの属性を判定して処理する流れを示すフローチャートである。
【図１１】本発明の１実施例における第２の画像形成装置がジョブの属性設定方法をユーザに選択させる画面の一例を示す図である。
【図１２】本発明の１実施例における第２の画像形成装置がユーザにジョブの属性設定変更を指定させる画面の一例を示す図である。
【図１３】本発明の１実施例における第２の画像形成装置がユーザにジョブの属性設定変更内容を承認させる画面の一例を示す図である。
【符号の説明】
【００７５】
３０１、１０３、１０４  PC（パーソナルコンピュータ）
３０２  ユーザ
３０３、３０４、１０１、１０２  MFP（マルチ・ファンクション・ペリフェラル）
１１０  ネットワーク
２０１  CPU
２０２  RAM
２０３  LCD
２０５  ROM
２０６  DISK
【図１】
2007060126.tif 000003
【図２】
2007060126.tif 000004
【図３】
2007060126.tif 000005
【図４】
2007060126.tif 000006
【図５】
2007060126.tif 000007
【図６】
2007060126.tif 000008
【図７】
2007060126.tif 000009
【図８】
2007060126.tif 000010
【図９】
2007060126.tif 000011
【図１０】
2007060126.tif 000012
【図１１】
2007060126.tif 000013
【図１２】
2007060126.tif 000014
【図１３】
2007060126.tif 000015